(57)【特許請求の範囲】
【請求項１】
シートバックの一部に前後方向に貫通する開口部を形成し、開口中抜き部の下端が回転軸及び回転駆動のモータによりシートバックの一端に回転自由に固定され、回転軸の回転により中抜き部の先端高さをスイッチ操作及びコントローラからの信号により調整可能で同時に回転角度を検知する手段を設け、
前後方向にスイッチ操作及びコントローラからの信号によりスライド移動可能で同時にスライド位置を検知する手段を設けた前席シート、及び前後方向にスイッチ操作及びコントローラからの信号によりスライド移動可能で同時にスライド位置を検知する手段を設け、
シートクッションに一端を連結されたシートバックが、シートクッションの前後移動に関してシートバックの傾きが変化し、かつシートクッションの前方に備えたシートリフタによりスイッチ操作及びコントローラからの信号によりクッション前端部が上下移動可能で同時に上下移動量を検知する手段を設けた後席シートにおいて、
前席位置または後席の前後移動に連動して前席開口中抜き部の回転角度調整、及び後席リフタの上下調整可能に構成されている
ことを特徴とする車両用シート。
【請求項２】
シートバックの一部に前後方向に貫通する開口部を形成し、開口中抜き部の下端が回転軸及び回転駆動のモータによりシートバックの一端に回転自由に固定され、回転軸の回転により中抜き部の先端高さをスイッチ操作及びコントローラからの信号により調整可能で同時に回転角度を検知する手段を設け、
また前後方向にスイッチ操作及びコントローラからの信号によりスライド移動可能で同時にスライド位置を検知する手段を設けた前席シート、前後方向にスイッチ操作及びコントローラからの信号によりスライド移動可能でスライド位置を検知する手段を設け、
シートクッションに一端を連結されたシートバックが、シートクッションの前後移動に関してシートバックの傾きが変化し、かつシートクッションの前端が曲率スライドレールに沿って上下移動可能な後席シートにおいて、
前席位置または後席の前後移動に連動して前席開口中抜き部の回転角度調整、及び後席リフタの上下調整可能とする
ことを特徴とする車両用シート。
【請求項３】
請求項１記載の車両用シートにおいて、
後席スライド位置、後席リフタ量、前席スライド位置に応じて、前席中抜き部を先端高さを自動的に調整可能とすることを特徴とする車両用シート。
【請求項４】
請求項１記載の車両用シートにおいて、
後席スライド位置、後席リフタ量、前席スライド位置に応じて、前席中抜き部の高さを後席クッション前端部と同一高さに自動的に調整可能とすることを特徴とする車両用シート。
【請求項５】
請求項２記載の車両用シートにおいて、
後席スライド位置、前席スライド位置に応じて、前席中抜き部の高さを自動的に調整可能とすることを特徴とする車両用シート。
【請求項６】
請求項２記載の車両用シートにおいて、
後席スライド位置、前席スライド位置に応じて、前席中抜き部の高さを後席クッション前端部と同一高さに自動的に調整可能とすることを特徴とする車両用シート。
【請求項７】
請求項１記載の車両用シートにおいて、
後席スライド位置、前席スライド位置、前席中抜き部の高さに応じて、後席クッション前端高さを自動的に調整可能とすることを特徴とする車両用シート。
【請求項８】
請求項１記載の車両用シートにおいて、
後席スライド位置、前席スライド位置、前席中抜き部の高さに応じて、後席クッション前端高さを前席中抜き部の高さと同一高さに自動的に調整可能とすることを特徴とする車両用シート。
【請求項９】
請求項１記載の車両用シートにおいて、
後席スライド位置、後席クッション前端高さに応じて、前席スライド位置及び前席中抜き部の高さを自動的に調整可能とすることを特徴とする車両用シート。
【請求項１０】
請求項１記載の車両用シートにおいて、
後席スライド位置、後席クッション前端高さに応じて、前後席の間隔を一定に保つよう前席スライド位置を自動的に調整可能とし、かつ前席中抜き部の高さを後席クッション前端高さと同一高さに自動的に調整可能とすることを特徴とする車両用シート。
【請求項１１】
請求項１記載の車両用シートにおいて、
乗員の嗜好による姿勢推奨スイッチ操作により、後席スライド位置、後席クッション前端高さ、前席スライド位置、前席中抜き部の高さを自動的に調整可能とすることを特徴とする車両用シート。
【請求項１２】
請求項１１記載の車両用シートにおいて、
フットレストモード使用スイッチ操作により、後席が後方に移動、後席クッション前端が上昇、前席スライドが前方に移動、前席中抜き部が開く方向に回転して開口面が水平面に対して下がる方向に移動可能とすることを特徴とする車両用シート。
【請求項１３】
請求項１１記載の車両用シートにおいて、
膝立てモードスイッチ操作により、後席が前方に移動、後席クッション前端が上昇、前席スライドが後席クッション先端部と接するまで後退、前席中抜き部が閉まる方向に回転して開口面が水平面に対して上がる方向に移動可能とすることを特徴とする車両用シート。
【請求項１４】
請求項１１記載の車両用シートにおいて、
フラットモードスイッチ操作により、後席が前方に移動、後席クッション前端が下降、前席スライドが後席クッション先端部と接するまで後退、前席中抜き部が開く方向に回転して開口面が水平となるように移動可能とすることを特徴とする車両用シート。
【発明の詳細な説明】
【０００１】
【発明の属する技術分野】
本発明は、自動車等の後席車両用シートに関する。
【０００２】
【従来の技術】
従来の前席シートバック中抜き付き車両用シートとしては、例えば、図１６の実開昭６３−１２０９９７に示すような前席シートバックの一部に前後方向に貫通する開口部を形成し、開口中抜き部の下端が回転軸によって開口自由なもの、図１７の実開昭５７−８５３３２に示すような前席シートバックの一部に前後方向に貫通する開口部を形成し、開口中抜き部の中央部が回転軸によって開口自由なもの、図１８の実開昭５７−８５３３２に示すような前席シートバックの一部に前後方向に貫通する開口部を形成し、開口中抜き部の上端部が回転軸によって開口自由なもの、等がある。
【０００３】
【発明が解決しようとする課題】
しかしながら、このような従来の前席シートバック中抜き付き車両用シートにあっては、中抜きシートを取り出した状態での使用では一応の快適性を確保していたが、前席中抜き部の高さと後席クッション前端部の高さが一致していないため、ふくらはぎや大腿部の支持が適正化できないことや、後席の位置を変えた場合、動作を変更する場合にリラックス状態で乗員が足を置いている中抜き部の角度を変える操作が困難であること、調整機構を付加することにより調整項目が多すぎて手間がかかること、連続的に調整することが非常に困難であること等の問題点があった。
【０００４】
本発明は、このような従来の問題点に着目してなされたもので、後席のスライド位置、前席のスライド位置に応じて後席のクッション前端部高さと中抜き部の高さを自動的に合わせることにより、上記問題点を解決することを目的としている。
【０００５】
【課題を解決するための手段】
上記目的を達成するために、本発明は、シートバックの一部に前後方向に貫通する開口部を形成し、開口中抜き部の下端が回転軸及び回転駆動のモータによりシートバックの一端に回転自由に固定され、回転軸の回転により中抜き部の先端高さをスイッチ操作及びコントローラからの信号により調整可能で同時に回転角度を検知する手段を設け、また前後方向にスイッチ操作及びコントローラからの信号によりスライド移動可能で同時にスライド位置を検知する手段を設けた前席シート、及び前後方向にスイッチ操作及びコントローラからの信号によりスライド移動可能で同時にスライド位置を検知する手段を設け、シートクッションに一端を連結されたシートバックが、シートクッションの前後移動に関してシートバックの傾きが変化し、かつ、シートクッションの前方に備えたシートリフタによりスイッチ操作及びコントローラからの信号によりクッション前端部が上下移動可能で同時に上下移動量を検知する手段を設けた後席シートにおいて、前席位置または後席の前後移動に連動して前席開口中抜き部の回転角度調整、及び後席リフタの上下調整可能とすることを特徴とする。
これにより、後席クッション前端部と中抜き部の高さ、前後方向を調整自在とすることにより、乗員が適正なリラックス姿勢をとることができる。
【０００６】
また、本発明は、シートバックの一部に前後方向に貫通する開口部を形成し、開口中抜き部の下端が回転軸及び回転駆動のモータによりシートバックの一端に回転自由に固定され、回転軸の回転により中抜き部の先端高さをスイッチ操作及びコントローラからの信号により調整可能で同時に回転角度を検知する手段を設け、また前後方向にスイッチ操作及びコントローラからの信号によりスライド移動可能で同時にスライド位置を検知する手段を設けた前席シート、前後方向にスイッチ操作及びコントローラからの信号によりスライド移動可能でスライド位置を検知する手段を設け、シートクッションに一端を連結されたシートバックが、シートクッションの前後移動に関してシートバックの傾きが変化し、かつシートクッションの前端が曲率スライドレールに沿って上下移動可能な後席シートにおいて、前席位置または後席の前後移動に連動して前席開口中抜き部の回転角度調整、及び後席リフタの上下調整可能とすることを特徴とする。
これにより、後席スライドに応じて中抜き部の高さ、前後方向を調整自在とすることにより、乗員が適正なリラックス姿勢をとることができる。
【０００７】
また、本発明は、前記した車両用シートにおいて、後席スライド位置、後席リフタ量、前席スライド位置に応じて、前席中抜き部を先端高さを自動的に調整可能とすることを特徴とする。
これにより、乗員の足を置く場所が適正に確保でき、適正なリラックス姿勢をとることができる。
【０００８】
また、本発明は、前記車両用シートにおいて、後席スライド位置、後席リフタ量、前席スライド位置に応じて、前席中抜き部の高さを後席クッション前端部と同一高さに自動的に調整可能とすることを特徴とする。
これにより、後席クッション前端部と中抜き部の高さが等しいため、乗員の足を置く場所のつながりが良くなり、適正なリラックス姿勢をとることができる。
【０００９】
また、本発明は、前記車両用シートにおいて、後席スライド位置、前席スライド位置に応じて、前席中抜き部の高さを自動的に調整可能とすることを特徴とする。
これにより、乗員の足を置く場所が適正に確保でき、適正なリラックス姿勢をとることができる。
【００１０】
また、本発明は、前記車両用シートにおいて、後席スライド位置、前席スライド位置に応じて、前席中抜き部の高さを後席クッション前端部と同一高さに自動的に調整可能とすることを特徴とする。
これにより、後席クッション前端部と中抜き部の高さが等しいため、乗員の足を置く場所のつながりが良くなり、適正なリラックス姿勢をとることができる。
【００１１】
また、本発明は、前記車両用シートにおいて、後席スライド位置、前席スライド位置、前席中抜き部の高さに応じて、後席クッション前端高さを自動的に調整可能とすることを特徴とする。
これにより、乗員の足を置く場所が適正に確保でき、適正なリラックス姿勢をとることができる。
【００１２】
また、本発明は、前記車両用シートにおいて、後席スライド位置、前席スライド位置、前席中抜き部の高さに応じて、後席クッション前端高さを前席中抜き部の高さと同一高さに自動的に調整可能とすることを特徴とする。
これにより、後席クッション前端部と中抜き部の高さが等しいため、乗員の足を置く場所のつながりが良くなり、適正なリラックス姿勢をとることができる。
【００１３】
また、本発明は、前記車両用シートにおいて、後席スライド位置、後席クッション前端高さに応じて、前席スライド位置及び前席中抜き部の高さを自動的に調整可能とすることを特徴とする。
これにより、乗員の足を置く場所が適正に確保でき、適正なリラックス姿勢をとることができる。
【００１４】
また、本発明は、前記車両用シートにおいて、後席スライド位置、後席クッション前端高さに応じて、前後席の間隔を一定に保つよう前席スライド位置を自動的に調整可能とし、かつ、前席中抜き部の高さを後席クッション前端高さと同一高さに自動的に調整可能とすることを特徴とする。
これにより、後席クッション前端部と中抜き部の高さが等しいため、乗員の足を置く場所のつながりが良くなり、適正なリラックス姿勢をとることができる。
【００１５】
また、本発明は、前記車両用シートにおいて、乗員の嗜好による姿勢推奨スイッチ操作により、後席スライド位置、後席クッション前端高さ、前席スライド位置、前席中抜き部の高さを自動的に調整可能とすることを特徴とする。
これにより、乗員が姿勢を変化させたい場合もスイッチ操作のみで簡易に前後席のポジションを変更することができ、適正なリラックス姿勢をとることができる。
【００１６】
また、本発明は、前記車両用シートにおいて、フットレストモード使用スイッチ操作により、後席が後方に移動、後席クッション前端が上昇、前席スライドが前方に移動、前席中抜き部が開く方向に回転して開口面が水平面に対して下がる方向に移動可能とすることを特徴とする。
これにより、乗員がスイッチ操作のみで簡易に前後席のポジションを変更して、フットレストを使用した姿勢をとることができる。
【００１７】
また、本発明は、前記車両用シートにおいて、膝立てモードスイッチ操作により、後席が前方に移動、後席クッション前端が上昇、前席スライドが後席クッション先端部と接するまで後退、前席中抜き部が閉まる方向に回転して開口面が水平面に対して上がる方向に移動可能とすることを特徴とする。
これにより、乗員がスイッチ操作のみで簡易に前後席のポジションを変更して、膝を立てた姿勢をとることができる。
【００１８】
また、本発明は、前記車両用シートにおいて、フラットモードスイッチ操作により、後席が前方に移動、後席クッション前端が下降、前席スライドが後席クッション先端部と接するまで後退、前席中抜き部が開く方向に回転して開口面が水平となるように移動可能とすることを特徴とする。
これにより、乗員がスイッチ操作のみで簡易に前後席のポジションを変更して、足をフラットに伸ばせる姿勢をとることができる。
【００１９】
【発明の実施の形態】
以下、本発明の実施の形態を図面に基づいて詳細に説明する。
【００２０】
（第１の実施の形態）
図１に本発明の第１の実施の形態の車輌用シート（以下、単に「シート」と略記する）の前席を斜視図で、図２に本発明のシートの前席中抜き部分を側方図で、図３に本発明のシートの前後席を側方図で、図４に全体のシステムを構成図で、図５に本発明のシートの動きをシステム図で、図６に前席中抜き部の角度と後席前端高さの関係をグラフで、夫々示す。
【００２１】
まず図３、図４により第１の実施の形態の全体の構成を説明すると、本発明の第１の実施の形態におけるシートはシートバック１、シートクッション２、回転軸４まわりに回転角度１３で回転可能なシートバック中抜き部３を主要構成部品として、アッパーレール１０と車体１８に固定されたロアーレール１１で前後方向１２に移動可能で構成される前席と、シートバック１５、シートクッション１４、スライドレール１７を主要構成部品として、前後方向１９に移動可能で回転軸４０まわりに上下方向２０にリフトアップ可能な後席からなり、計算部３０とコントロール部３１からなる制御システムにおいて、前席スライド１２、前席中抜き角度１３、後席スライド１９、後席リフタ２０の各々の位置及び角度を検知する手段と駆動部、操作スイッチからなる車両用シートを示す。
【００２２】
図５を用いて全体の動きを簡単に説明すると、乗員が嗜好により調整した前席スライド量１２、後席スライド量１９、後席リフタ２０に対して適切な前席中抜き部角度１３をコントロール部３１の指令により調整することができるものである。
【００２３】
図５、図６を参照して詳細な動きを説明する。
乗員が嗜好により後席スライド量１９を操作スイッチ３７で、後席リフタ２０を操作スイッチ３９で、前席スライド量１２を操作スイッチ３３でそれぞれ調整を行い、各々の状態を後席スライド量１９は位置検知センサ２２で、後席リフタ２０は角度検知センサ２１で、前席スライド量１２は位置検知センサ２３でそれぞれの値を検知し、その結果を計算部３０で記憶可能である。
【００２４】
後席リフタ量の角度データ２１から図６に示す後席クッション前端部の高さＨ−Ｒｒを計算し、その値と等しくなる高さＨ−Ｆｒに前席中抜き部の高さを合わせるため、前席スライド位置データ２３から前席スライド傾斜角による高さ方向の補正を行った後に前席中抜き部の回転角度θＦｒの計算を行い、コントロール部３１の信号ｂ２により駆動部３４を駆動させ中抜き部３と後席クッション１４の前端部の高さを揃えることが可能なものである。これにより、中抜き部３と後席クッション１４の前端部の高さの段差が無くなるため、乗員の足を置く面の連続性が確保され安定したリラックス姿勢を取ることが可能となる。
【００２５】
次に、作用を説明する。
以上のような構成により、図３に示す前席中抜き部の高さＨ−Ｆｒと後席クッション前端部の高さＨ−Ｒｒを等しくすることにより乗員の足を置く面の連続性が確保され、ふくらはぎや大腿部支持の適正化がはかられるとともに、図５に示すシステムを実行することにより、乗員の嗜好により後席スライド量１９、後席リフタ量２０、前席スライド量１２に前席中抜き部の角度１３を自動的に連動させることで、適切な状態を実現するための調整量を１項目減らして簡易化され、乗員が足を乗せている状態での不自由な動作が解消され、後席スライド位置を変化させても連続的に一定のリラックス姿勢を取ることが可能となる。
【００２６】
（第２の実施の形態）
本発明のシートの第２の実施の形態を図面に基づいて説明する。
図７に本発明のシートの動きをシステム図で、図８に前席中抜き部の角度と後席前端高さの関係をグラフでそれぞれ示す。
第２の実施の形態の全体の構成は第１の実施の形態と同様であり、図７を用いて全体の動きを簡単に説明すると、乗員が嗜好により調整した前席スライド量１２、前席中抜き部角度１３、後席スライド量１９、に対して適切な後席リフタ２０をコントロール部３１の指令により調整することができるものである。
【００２７】
次に、図７、図８を用いて第２の実施の形態の詳細の動きを説明する。
乗員が嗜好により後席スライド量１９を操作スイッチ３７で、前席スライド量１２を操作スイッチ３３で、前席中抜き部角度１３を操作スイッチ３５でそれぞれ調整を行い、各々の状態を後席スライド量１９は位置検知センサ２２で、前席スライド量１２は位置検知センサ２３で、前席中抜き部角度１３は角度検知センサ７でそれぞれの値を検知し、その結果を計算部３０で記憶可能である。
【００２８】
前席中抜き部の角度データ７は図８に示すθＦｒと前席スライド位置データ２３から前席スライド傾斜角による高さ方向の補正を行った後に前席中抜き部の高さＨ−Ｆｒの計算を行い、この値が後席クッション前端部の高さ調整の限界Ｈ−Ｒｒ−ｍａｘとＨ−Ｒｒ−ｍｉｎの幅に納まっていれば後席クッション前端部の高さＨ−ＲｒをＨ−Ｆｒと等しい値とし、
Ｈ−Ｒｒ−ｍａｘ＞Ｈ−Ｆｒの場合はＨ−Ｒｒ＝Ｈ−Ｒｒ−ｍａｘ
Ｈ−Ｒｒ−ｍｉｎ＜Ｈ−Ｆｒの場合はＨ−Ｒｒ＝Ｈ−Ｒｒ−ｍｉｎ
として各々の場合において後席クッション前端部の高さＨ−Ｒｒを求め、コントロール部３１の信号ｄ２により駆動部３８を駆動させ中抜き部３と後席クッション１４の前端部の高さを揃えるか、または最も近い高さに調整することが可能なものである。これにより、中抜き部３と後席クッション１４の前端部の高さの段差が小さくなるため、乗員の足を置く面の連続性が確保され安定したリラックス姿勢を取ることが可能となり、第１の実施の形態と同様の効果を得ることができる。
【００２９】
（第３の実施の形態）
本発明のシートの第３の実施の形態を図面に基づいて説明する。
図９に第３の実施の形態におけるシートの動きをシステム図で示す。
全体の構成は第１の実施の形態と同様であり、図９を用いて全体の動きを簡単に説明すると、乗員が嗜好により調整した、後席スライド量１９、後席リフタ量２０に対して適切な前席スライド量１２、前席中抜き部角度１３をコントロール部３１からの信号により調整することができるものである。
【００３０】
図３、図５、図６、図９を用いて第３の実施の形態のシートの詳細の動きを説明する。
乗員が嗜好により後席スライド量１９を操作スイッチ３７で、後席リフタ量２０を操作スイッチ３８でそれぞれ調整を行い、各々の状態を後席スライド量１９は位置検知センサ２２で、後席リフタ量２０は角度検知センサ２１でそれぞれの値を検知し、その結果を計算部３０で記憶可能である。
【００３１】
後席スライド量のデータ２２より図３に示す後席クッション前端部と前席リラックスシート後端部の距離Ｌ０を保つようにコントロール部３１の信号ａ２により前席スライドの駆動部３２を駆動させることが可能である。
【００３２】
後席リフタ量のデータ２１は第１の実施の形態で図５、図６に示した通り、後席クッション前端部の高さＨ−Ｒｒと等しくなる高さＨ−Ｆｒに前席中抜き部の高さを合わせる計算を行った後、コントロール部３１からの信号ｂ２により駆動部３４を駆動させ中抜き部３と後席クッション１４の前端部の高さを揃えることが可能なものである。これにより、第１の実施の形態の効果に加え、乗員は後席のみの調整で自動的かつ連続的に前席中抜き部が適正位置に調整されるため、さらに簡略化することが可能となる。
【００３３】
（第４の実施の形態）
本発明のシートの第４の実施の形態を図面に基づいて説明する。
図１０に第４の実施の形態のシートの状態を側面図で示し、図１１に本発明のシートの動きをシステム図で示す。
【００３４】
第４の実施の形態の全体の構成は第１の実施の形態に加え、姿勢選択スイッチ５０にあるフットレストモードスイッチ５１を備え、図１１を用いて全体の動きを簡単に説明すると、乗員がフットレストを使う状況を想定した場合、フットレストモードスイッチ５１を操作することにより、後席スライド量１９、後席リフタ量２０、前席スライド量１２、前席中抜き部角度１３をコントロール部３１の指令により適正に調整することができるものである。
【００３５】
図１０、図１１を用いて第４の実施の形態の詳細の動きを説明する。
乗員が嗜好によりフットレストを使用したくなった場合、フットレストモードスイッチ５１を操作することにより、本スイッチを選択されたことがコントロール部３１に記憶され、後席スライドの駆動部３６に信号ｃ２を送り後席スライドを後方移動５２させ、後席リフタの駆動部３８に信号ｄ２を送り後席リフタを上方移動５３させ、前席スライドの駆動部３２に信号ａ２を送り前席スライドを前方移動５４させ、前席中抜き部角度の駆動部３４に信号ｂ２を送り前席中抜き部角度を水平より下方移動５５させることにより乗員がフットレストを使用するのに適した姿勢を取ることが可能となる。
【００３６】
これにより、第１の実施の形態の効果に加え、乗員の操作が大幅に簡略化されて好みの姿勢を取ることが可能となる。
【００３７】
（第５の実施の形態）
本発明のシートの第５の実施の形態を図面に基づいて説明する。
図１２に第５の実施の形態のシートの状態を側面図で示し、図１３にその動きをシステム図で示す。
第５の実施の形態の全体の構成は第１の実施の形態に加え、姿勢選択スイッチ５０にある膝立てモードスイッチ６０を備え、図１３を用いて全体の動きを簡単に説明すると、乗員が膝を立てて着座する状況を想定した場合、膝立てモードスイッチ６０を操作することにより、後席スライド量１９、後席リフタ量２０、前席スライド量１２、前席中抜き部角度１３をコントロール部３１の指令により適正に調整することができるものである。
【００３８】
図１２、図１３を用いて第５の実施の形態の詳細の動きを説明する。
乗員が嗜好により膝を立てて着座する場合、膝立てモードスイッチ６０を操作することにより、本スイッチを選択されたことがコントロール部３１に記憶され、後席スライドの駆動部３６に信号ｃ２を送り後席スライドを前方移動６１させ、後席リフタの駆動部３８に信号ｄ２を送り後席リフタを上方移動６２させ、前席スライドの駆動部３２に信号ａ２を送り前席スライドを後方移動６３させ、前席中抜き部角度の駆動部３４に信号ｂ２を送り前席中抜き部角度を水平より上方移動６４させることにより乗員が膝を立てて着座するのに適した姿勢を取ることが可能となる。
これにより、第１の実施の形態の効果に加え、乗員の操作が大幅に簡略化されて好みの姿勢を取ることが可能となる。
【００３９】
（第６の実施の形態）
本発明のシートの第６の実施の形態を図面に基づいて説明する。
図１４に第６の実施の形態のシートの状態を側面図で示し、図１５にその動きをシステム図で示す。
全体の構成は第１の実施の形態に加え、姿勢選択スイッチ５０にあるフラットモードスイッチ６５を備え、図１５を用いて全体の動きを簡単に説明すると、乗員が膝を伸ばしてフラットに着座する状況を想定した場合、フラットモードスイッチ６５を操作することにより、後席スライド量１９、後席リフタ量２０、前席スライド量１２、前席中抜き部角度１３をコントロール部３１の指令により適正に調整することができるものである。
【００４０】
図１４、図１５を用いて第６の実施の形態の詳細の動きを説明する。
乗員が嗜好により膝を伸ばしてフラットに着座する場合、フラットモードスイッチ６５を操作することにより、本スイッチを選択されたことがコントロール部３１に記憶され、後席スライドの駆動部３６に信号ｃ２を送り後席スライドを前方移動６６させ、後席リフタの駆動部３８に信号ｄ２を送り後席リフタを下方移動６７させ、前席スライドの駆動部３２に信号ａ２を送り前席スライドを後方移動６８させ、前席中抜き部角度の駆動部３４に信号ｂ２を送り前席中抜き部角度を水平より水平移動６９させることにより乗員が膝を伸ばしてフラットに着座するのに適した姿勢を取ることが可能となる。
これにより、第１の実施の形態の効果に加え、乗員の操作が大幅に簡略化されて好みの姿勢を取ることが可能となる。
【００４１】
【発明の効果】
以上説明してきたように、請求項１記載の発明によれば、後席前後調整を乗員に嗜好に応じて行うことにより、それに見合って前席中抜き部高さや、後席クッションリフタの高さを自動的に調整することにより、複雑な操作を行う必要無しに乗員の下腿や、大腿の支持を適正化することができ、リラックス姿勢を取りやすくすることができる。
【００４２】
請求項２記載の発明によれば、後席前後調整を乗員の嗜好に応じて行うことにより、それに見合って後席クッション前端部が連動して高さが変化し、前席中抜き部高さを自動的に調整することにより、複雑な操作を行う必要無しに乗員の下腿や、大腿の支持を適正化することができ、リラックス姿勢を取りやすくすることができる。
【００４３】
請求項３記載の発明によれば、請求項１に加え、後席スライド位置、後席リフタ量、前席スライド位置に応じて前席中抜き部を先端高さを自動的に調整することにより、複雑な操作を行う必要無しに乗員の下腿や、大腿の支持を適正化することができ、リラックス姿勢を取りやすくすることができる。
【００４４】
請求項４記載の発明によれば、請求項１に加え、後席スライド位置、後席リフタ量、前席スライド位置に応じて前席中抜き部を先端高さを後席クッション前端部と同一高さに自動的に調整することにより、複雑な操作を行う必要無しに乗員の下腿や、大腿の支持を適正化することができ、リラックス姿勢を取りやすくすることができる。
【００４５】
請求項５記載の発明によれば、請求項２に加え、後席スライド位置、前席スライド位置に応じて、前席中抜き部を先端高さを自動的に調整することにより、複雑な操作を行う必要無しに乗員の下腿や、大腿の支持を適正化することができ、リラックス姿勢を取りやすくすることができる。
【００４６】
請求項６記載の発明によれば、請求項２に加え、後席スライド位置、前席スライド位置に応じて、前席中抜き部を先端高さを後席クッション前端部と同一高さに自動的に調整することにより、複雑な操作を行う必要無しに乗員の下腿や、大腿の支持を適正化することができ、リラックス姿勢を取りやすくすることができる。
【００４７】
請求項７記載の発明によれば、請求項１に加え、後席スライド位置、前席スライド位置、前席中抜き部先端高さに応じて、後席クッション前端高さを自動的に調整することにより、複雑な操作を行う必要無しに乗員の下腿や、大腿の支持を適正化することができ、リラックス姿勢を取りやすくすることができる。
【００４８】
請求項８記載の発明によれば、請求項１に加え、後席スライド位置、前席スライド位置、前席中抜き部先端高さに応じて、後席クッション前端高さを前席中抜き部の先端高さと同一高さに自動的に調整することにより、複雑な操作を行う必要無しに乗員の下腿や、大腿の支持を適正化することができ、リラックス姿勢を取りやすくすることができる。
【００４９】
請求項９記載の発明によれば、請求項１に加え、後席スライド位置、後席クッション前端高さに応じて、前席スライド位置及び前席中抜き部先端高さを自動的に調整することにより、複雑な操作を行う必要無しに乗員の下腿や、大腿の支持を適正化することができ、リラックス姿勢を取りやすくすることができる。
【００５０】
請求項１０記載の発明によれば、請求項１に加え、後席スライド位置、後席クッション前端高さに応じて、前後席の間隔を一定に前席スライド位置を自動的に調整可能とし、かつ前席中抜き部の先端高さを後席クッション前端高さと同一高さに自動的に調整することにより、複雑な操作を行う必要無しに乗員の下腿や、大腿の支持を適正化することができ、リラックス姿勢を取りやすくすることができる。
【００５１】
請求項１１記載の発明によれば、請求項１に加え、乗員の嗜好による姿勢推奨スイッチ操作により、後席スライド位置、後席クッション前端高さ、前席スライド位置、前席中抜き部先端高さを自動的に調整することにより、きわめて簡単な操作により乗員の望む姿勢を取りやすくすることができる。
【００５２】
請求項１２記載の発明によれば、請求項１に加え、フットレストモード使用スイッチ操作により、後席が後方に移動、後席クッション前端が上昇、前席スライドが前方に移動、前席中抜き部が開く方向に回転して開口面が水平面に対して下がる方向に移動可能とすることにより、きわめて簡単な操作によりフットレストのみでなく後席位置も自動的に調整でき、前席中抜き部、後席座面により下腿や、大腿の支持を適正化することができ、乗員の望む姿勢を取りやすくすることができる。
【００５３】
請求項１３記載の発明によれば、請求項１に加え、膝立てモードスイッチ操作により、後席が前方に移動、後席クッション前端が上昇、前席スライドが後席クッション先端部と接するまで後退、前席中抜き部が閉まる方向に回転して開口面が水平面に対して上がる方向に移動可能とすることにより、きわめて簡単な操作により乗員が望む膝を立てた状態で着座でき、前席中抜き部、後席座面により下腿や、大腿の支持を適正化することができ、乗員の望む姿勢を取りやすくすることができる。
【００５４】
請求項１４記載の発明によれば、請求項１に加え、フラットモードスイッチ操作により、後席が前方に移動、後席クッション前端が下降、前席スライドが後席クッション先端部と接するまで後退、前席中抜き部が開く方向に回転して開口面が水平となるように移動可能とすることにより、きわめて簡単な操作により乗員が望む足を投げ出した状態で着座でき、前席中抜き部、後席座面により下腿や、大腿の支持が強すぎることなく適正化することができ、乗員の望む姿勢を取りやすくすることができる。
【図面の簡単な説明】
【図１】第１の実施の形態のシートの前席を示す斜視図である。
【図２】第１の実施の形態のシートの前席中抜き部分を示す側方図である。
【図３】第１の実施の形態のシートの前後席を示す側方図である。
【図４】第１の実施の形態のシステムを示す構成図である。
【図５】第１の実施の形態の動きを示すシステム図である。
【図６】第１の実施の形態の前席中抜き部の角度と後席前端高さの関係を示すグラフである。
【図７】第２の実施の形態のシートの動きを示すシステム図である。
【図８】第２の実施の形態の前席中抜き部の角度と後席前端高さの関係を示すグラフである。
【図９】第３の実施の形態のシートの動きを示すシステム図である。
【図１０】第４の実施の形態のシートの状態を示す側面図である。
【図１１】第４の実施の形態のシートの動きを示すシステム図である。
【図１２】第５の実施の形態のシートの状態を示す側面図である。
【図１３】第５の実施の形態のシートの動きを示すシステム図である。
【図１４】第６の実施の形態のシートの状態を示す側面図である。
【図１５】第６の実施の形態のシートの動きを示すシステム図である。
【図１６】従来例に係わるシートを示す側面図である。
【図１７】他の従来例に係わるシートを示す側面図である。
【図１８】他の従来例に係わるシートを示す側面図である。
【符号の説明】
１    前席シートバック
２    前席クッション
３    前席中抜き部
４    前席中抜き部回転中心
１２    前席スライド量
１３    前席中抜き部角度
１４    後席シートクッション
１５    後席クッション
１９    後席スライド量
２０    後席リフト量
３０    計算部
３１    コントロール部
【図１】
0003716512.tif 000002
【図２】
0003716512.tif 000003
【図３】
0003716512.tif 000004
【図４】
0003716512.tif 000005
【図５】
0003716512.tif 000006
【図６】
0003716512.tif 000007
【図７】
0003716512.tif 000008
【図８】
0003716512.tif 000009
【図９】
0003716512.tif 000010
【図１０】
0003716512.tif 000011
【図１１】
0003716512.tif 000012
【図１２】
0003716512.tif 000013
【図１３】
0003716512.tif 000014
【図１４】
0003716512.tif 000015
【図１５】
0003716512.tif 000016
【図１６】
0003716512.tif 000017
【図１７】
0003716512.tif 000018
【図１８】
0003716512.tif 000019